(57)【要約】【課題】トランペットなどの管楽器のように複数の演奏操作子の操作の組み合わせに応じて発生楽音の音高を決定するような電子楽器において、簡易演奏できるようにして楽器を気軽に楽しむことができ、練習のきっかけを掴めるようにする。【解決手段】自動演奏データを内部に記憶しておく。自動演奏データのメロディ音高データを歩進しながら読み出して自動演奏する。第１〜第３バルブ操作子１１〜１３の操作状態からバルブ状態信号を得る。メロディ音高データから音声のピッチに対応するピッチデータを自動生成する。バルブ状態信号に基づいて音高候補を抽出し、自動生成したピッチデータと音高候補とにより音高を決定する。決定した音高とメロディ音高データが一致したとき、上記読出しの歩進のタイミングとする。バルブ操作子の操作入力だけでも演奏を進行できるようにする。【選択図】      図１
2005049439.tif 000002
【特許請求の範囲】
【請求項１】
口入力部と、
複数の演奏操作子と、
を備え、
前記口入力部からの入力ピッチ情報と前記複数演奏操作子操作の組み合わせとによって発生楽音の音高が決定される楽器において、
補助演奏部を設け、該補助演奏部からの演奏データに基づいて前記口入力部よりのピッチ情報に対応したピッチデータを自動的に生成し、前記ピッチデータと、前記複数演奏操作子操作の状態に対応する操作子操作状態情報とによって楽音を発生させる楽音発生手段を設けたことを特徴とする電子楽器。
【請求項２】
口入力部と、
複数の演奏操作子と、
を備え、
前記口入力部からの入力ピッチ情報と前記複数演奏操作子操作の組み合わせとによって発生楽音の音高が決定される楽器において、
自動演奏部と、
該自動演奏部からの演奏データに基づいて前記口入力部よりのピッチ情報に対応したピッチデータを自動的に発生し、前記ピッチ情報と、前記複数演奏操作子操作の状態に対応する操作子操作状態情報とから音高データを形成する音高データ形成手段と、
該音高データ形成手段よりの音高データと前記自動演奏部よりの演奏データの音高データとの一致を検出し、該一致検出によって次に続く演奏の歩進指示をするとともに、前記自動演奏部からの演奏データのうち発生すべき次のデータによって、該自動演奏部における自動演奏を停止指示する演奏進行制御手段とを設け、
前記演奏進行制御手段からの歩進指示と停止指示とにて演奏の進行をさせるようにしたことを特徴とする電子楽器。
【発明の詳細な説明】
【０００１】
【発明の属する技術分野】
本発明は、トランペット、ホルン、ユーホニウム、チューバなどの管楽器のように、複数の演奏操作子を備え、この複数の演奏操作子の操作の組み合わせに応じて発生楽音の音高を決定する自然楽器を電子的に構成した電子楽器に関する。
【０００２】
【従来の技術】
従来、前記のような管楽器においては３、４本のバルブの操作入力とアンプッシュア入力との２入力で楽音の音高が決まる。このような管楽器に対しては、全くの初心者は、上記２入力を入力したとしても簡単には発音されない。まず、アンプッシュア入力に困難性がある。仮に発音したとしても、楽曲を奏でるまでにはもう１つのハードルがある。例えば３バルブ操作の組み合わせにて音階の１つ（特に倍音関係の音高列）が決定され、かつ、アンプッシュア入力とバルブ操作との組み合わせによって音高が決定されるので、同一バルブ操作であっても音高が異なる場合がたくさんあるからである。そこで、本出願人は、このような管楽器の練習装置となるような演奏制御装置を提案している（特開２００３−９１２８５号公報）。
【０００３】
【特許文献１】
特開２００３−９１２８５号公報
【０００４】
【発明が解決しようとする課題】
前記特開２００３−９１２８５号公報の演奏制御装置にあっては、アンプッシュアの困難性を解消する程度であり、特に初心者用の練習装置としては改良の余地がある。トランペット、ホルン、ユーホニウム、チューバなどのような運指組み合わせ入力楽器にあっては、音高候補が３、４バルブ操作子の押圧操作の組み合わせによって決まるため、演奏操作が複雑になっている。すなわち、鍵盤楽器のように１キーで１音高を決定するような操作に比べてスムーズな楽器演奏をさせることが難しい。したがって、特に初心者には、この種の運指組み合わせ入力楽器を気軽に楽しむことができないとともに、練習のきっかけすら掴みにくいという問題があった。
【０００５】
本発明は、複数の演奏操作子の操作の組み合わせに応じて発生楽音の音高を決定するような電子楽器において、特に初心者でも簡易演奏できるようにして、楽器を気軽に楽しむことができ、練習のきっかけを掴めるようにすることを課題とする。
【０００６】
【課題を解決するための手段】
請求項１の電子楽器は、補助演奏部からの演奏データに基づいて、口入力部よりのピッチ情報に対応したピッチデータを自動的に生成し、前記ピッチデータと、複数演奏操作子操作の状態に対応する操作子操作状態情報とによって楽音を発生させる。これにより、口入力部よりのピッチ情報は、自動演奏データの音高データや外部入力（演奏者以外による入力）でもよく、複数演奏操作子操作のみで演奏進行が可能なので、演奏者は演奏操作子の操作に専念でき、トランペット、ホルン、ユーホニウム、チューバ等の運指組み合わせ入力楽器の、簡易演奏、並びに正統演奏への練習のステップとすることができる。さらに、複数の演奏操作子の操作の組み合わせに対応する操作子操作状態情報により演奏を進行するので、鍵盤楽器等の１キーで音高決定するような場合と違って、上記運指組み合わせ入力楽器に特有な演奏操作の運指ガイド指示をすることも容易になる。
【０００７】
請求項２の電子楽器は、自動演奏部からの演奏データに基づいて、口入力部よりのピッチ情報に対応したピッチデータを自動的に発生し、前記ピッチ情報と、複数演奏操作子操作の状態に対応する操作子操作状態情報とから音高データを形成し、この音高データと自動演奏部よりの演奏データの音高データとの一致を検出し、該一致検出による歩進指示と停止指示とにて演奏の進行をさせる。これにより、請求項１と同様に、口入力部よりのピッチ情報は、自動演奏データの音高データや外部入力（演奏者以外による入力）でもよく、演奏操作子の操作に専念でき、トランペット、ホルン、ユーホニウム、チューバ等の運指組み合わせ入力楽器の、簡易演奏、並びに正統演奏への練習のステップとすることができる。また、演奏操作子の組み合わせに応じた音高データと自動演奏部からの演奏データの音高データとの一致を検出し、この一致検出による歩進指示と停止指示とにて演奏の進行をさせるので、間違った演奏操作をしても演奏は進行しない。したがって、さらに上達の意思がある者のみに対して、演奏補助をすることができる。
【０００８】
【発明の実施の形態】
図１は本発明の実施形態の電子楽器の外観図である。この電子楽器はトランペット型の電子楽器であり、胴体部１０の演奏者側にはマウスピースに相当する口入力部２０を備え、その反対側にベル部に相当する楽音発生部３０を備えている。また、胴体部１０の下部には操作部４０と把持部５０を備えている。さらに、胴体部１０の中央部には、口入力部２０側から順に、第１バルブ操作子１１、第２バルブ操作子１２及び第３バルブ操作子１３が配設されている。この第１〜第３バルブ操作子１１〜１３はトランペットのピストンバルブ（及びキー）に相当するものであり、各バルブ操作子１１〜１３は請求項における「複数の演奏操作子」に相当する。
【０００９】
また、口入力部２０内には演奏者の音声を検出するマイクロホンあるいは薄板に貼着されたピエゾ素子等の空気の振動を検出する振動検出器２０ａが配設され、楽音発生部３０内には楽音を発生するスピーカ３０ａが配設されている。さらに、操作部４０には後述のモード選択などを行うための各種の設定操作子４０ａが配設され、胴体部１０内にはこの楽器の作動を制御するための電子回路装置が収容されている。また、胴体部１０の側部には各種モード状態などの表示を行う表示器６０が配設されている。
【００１０】
図２はバルブ操作子１１〜１３の詳細を示す図であり、バルブ操作子１１〜１３は、上下に延設されたロッド１１ａ〜１３ａと、ロッド１１ａ〜１３ａの上端に固着されて指で押圧操作される円盤状の操作部１１ｂ〜１３ｂとをそれぞれ備えている。ロッド１１ａ〜１３ａは、胴体部１０及び把持部５０内に進退可能にそれぞれ侵入している。ロッド１１ａ〜１３ａの各下端部は、把持部５０内に設けた図示しないスプリングとストッパ機構により上方に付勢されており、下方への押圧により胴体部１０内に押し下げられて図示しないスイッチがオンとなり、下方への押圧解除により図示の上端位置に停止してスイッチがオフとなる。
【００１１】
ロッド１１ａ〜１３ａの胴体部１０の上面の胴体部１０への侵入口周囲には、リング１７〜１９がそれぞれ固着されている。これらのリング１７〜１９の下方には、発光ダイオード、ランプなどで構成した発光素子２１〜２３がそれぞれリング１７〜１９に対応して胴体部１０内に収容されている。リング１７〜１９の下部は透明の樹脂で形成されている。これにより、発光素子２１〜２３の点灯による光がリング１７〜１９の上面から漏れないようにして、リング１７〜１９全体がそれぞれ独立して発光するようにしている。
【００１２】
図３は実施形態における前記電子回路装置のブロック図であり、この電子回路装置は、バス１００に接続された音声信号入力回路３１、スイッチ回路３２、表示制御回路３３、楽音信号発生部３４、コンピュータ本体部３５、メモリ装置３６および発光制御回路３７を備えている。
【００１３】
音声信号入力回路３１は振動検出器２０ａから入力した音声信号のピッチ（周波数）を検出するピッチ検出回路３１ａと、同音声信号の音量レベル（振幅エンベロープ）を検出するレベル検出回路３１ｂとを備えている。スイッチ回路３２は、第１〜第３バルブ操作子１１〜１３及び複数の設定操作子４０ａの操作に連動するスイッチを有し、第１〜第３バルブ操作子１１〜１３及び複数の設定操作子４０ａの操作を検出する。表示制御回路３３は表示器６０の表示状態を制御する。楽音信号発生部３４は、コンピュータ本体部３５から入力設定される音高データ、キーオンデータ、及びキーオフデータに基づいて楽音信号を発生する回路であり、メロディの楽音信号を発生する第１楽音信号発生回路３４ａと、伴奏の楽音信号を発生する第２楽音信号発生回路３４ｂとで構成されている。これらの楽音信号はアンプ３８を介してスピーカ３０ａに出力される。なお、音高データは発生楽音の周波数（ピッチ）を表すものであり、キーオンデータ及びキーオフデータは楽音の発生開始及び発生停止をそれぞれ指示するものである。
【００１４】
コンピュータ本体部３５は、ＣＰＵ、ＲＯＭ、ＲＡＭ、タイマなどからなり、プログラムの実行により、この電子楽器の各種動作を制御する。メモリ装置３６は、メモリカードなどのような小型かつ比較的大容量の記録媒体を備え、各種プログラム及び各種演奏データを記憶している。この演奏データは、音高データ、キーオンデータ、キーオフデータなどを時系列に記憶した楽曲の自動演奏データを構成している。発光制御回路３７は、前記発光素子２１，２２，２３の点灯を制御する。
【００１５】
また、バス１００には、外部機器用インターフェース回路４１及び通信用インターフェース回路４２も接続されている。外部機器用インターフェース回路４１は、図示しない接続端子に接続される外部の各種音楽機器と交信して、外部の各種音楽機器に対して各種プログラム及びデータの入力及び出力を可能とする。通信用インターフェース回路４２は、図示しない接続端子に接続される通信ネットワーク（例えば、インターネット）を介して外部と交信して、外部（例えば、サーバ）に対して各種のプログラム及びデータの入力及び出力を可能とする。
【００１６】
ここで、この楽器の演奏方法について簡単に説明する。演奏者は、一方の手で把持部５０を握ることにより楽器を保持し、他方の手の指で第１〜第３バルブ操作子１１〜１３を押圧操作する。この操作は音高を指定するための操作であるが、トランペットなどと同様に、第１〜第３バルブ操作子１１〜１３の非操作状態と操作状態の組み合わせによって、１つの音高ではなく複数の音高候補が同時に指定される。そして、第１〜第３バルブ操作子１１〜１３を必要に応じた組み合わせで操作する。
【００１７】
マニュアルモード時には、演奏者は、口入力部２０に向かって、発生させようとする楽音の音高周波数に近い周波数を有する音声を発生する。この場合の音声は、例えば「アー」、「ウー」などの単純なものでよく、要は音声が特定の周波数（以後、「音声ピッチ」という。）を有していればよい。この音声の発生により、第１〜第３バルブ操作子１１〜１３の操作によって指定された複数の音高候補のうちから、入力された音声ピッチに最も近い周波数の音高が楽音発生の音高として決定される。そして、決定された音高に応じて、楽音（例えば、トランペット音）入力音声に同期して発生される。
【００１８】
また、自動モード時には、自動演奏データのメロディ音高データが読み出され、このメロディ音高データに対応して操作すべきバルブ操作子１１〜１３の組み合わせが、発光素子２１〜２３により、バルブ操作子１１ａ〜１３ａに対応して発光表示される。そして、この発光表示に対応する第１〜第３バルブ操作子１１〜１３を操作すると、この操作によって指定された複数の音高候補とメモリ音高データ（ピッチデータ）とから楽音発生の音高が決定され、演奏が進行する。
【００１９】
次に、音高の決定について図４を用いて具体的に説明する。図４は音高と運指（操作状態の組み合わ）との関係を示す運指図であり、図中の「バルブ操作子」と示した左欄は、縦方向に、第１〜第３バルブ操作子１１〜１３の非操作状態と操作状態との組み合わせからなる８通りの操作の組み合わせを示している。このうち、数字「１」、「２」、「３」は操作されるべきバルブ操作子を、第１、第２および第３バルブ操作子１１〜１３にそれぞれ対応させて示しており、「−」印は操作されるべきでないバルブ操作子を示している。一方、図中の「決定音高」と示した下欄は、横方向に、発音のために決定されるべき楽音の音名を示している。
【００２０】
そして、「決定音高」の上方と「バルブ操作子」の右方の交点位置の「○」印が、決定されるべき楽音の音高と操作されるべき第１〜第３バルブ操作子１１〜１３の組み合わせとを対応付けている。したがって、第１〜第３バルブ操作子１１〜１３の操作の組み合わせにより、決定される楽音の音高候補として複数の音高が指定される。例えば、第１〜第３バルブ操作子１１〜１３のいずれも操作されなければ決定される楽音の音高候補は「Ｃ４  」，「Ｇ４  」，「Ｃ５  」，「Ｅ５  」，「Ｇ５  」，「Ｃ６  」である。また、第２バルブ操作子１２だけが操作されれば「Ｂ３  」，「Ｆ♯４」，「Ｂ４  」，「Ｄ♯５」，「Ｆ♯５」，「Ｂ５  」である。
【００２１】
また、図中の「○」印の下部の矢印は、口入力部２０から入力された音声ピッチのずれの許容範囲を示している。この許容範囲は、図中の「入力音高」と示した上欄に、横方向に示した音名の周波数に対応している。なお、図中の上欄の「入力音高」の音名と、図中の下欄の「決定音高」との音名とが１オクターブずれているのは、人間の声の音域（男性）とトランペットの発音音域とのずれを補正するためである。また、図中に示した「無音」は、楽音が決定（あるいは発生）されないことを意味してる。したがって、例えば、第１〜第３バルブ操作子１１〜１３のいずれも操作されない状態で、「Ａ♯２」と「Ｄ♯３」の間の周波数域の音声を入力すれば「Ｃ４  」の音高が決定される。「Ｅ３  」と「Ａ３  」の間の周波数域の音声を発生すれば「Ｇ４  」の音高が決定される。なお、この音声信号の周波数のずれの許容範囲を、設定操作子４０ａの操作によって種々に変更することも可能である。
【００２２】
次に、実施形態の電子楽器の具体的動作について、図５の機能ブロック図を用いて説明する。なお、この機能ブロック図中のコンピュータ処理部は、前記コンピュータ本体部３５のプログラム処理を機能的に表したものであるが、もちろん、同図のような電子回路で構成することもできる。この実施形態では、前記設定操作子４０ａに含まれる手動／自動スイッチ６１によりマニュアルモードと自動モードを選択できる。手動／自動スイッチ６１がＭ側（マニュアル）のときマニュアルモードとなり、手動／自動スイッチ６１がＡ側（オート側）のとき自動モードとなる。
【００２３】
（マニュアルモード）
マニュアルモードでは手動／自動スイッチ６１がＭ側になるのでメモリ装置３６のイネーブル端子がローレベルとなり、メモリ装置３６、演奏データ読出し処理部５１及び運指変換処理部５２が実質非動作となって、後述の自動演奏の動作を行われない。また、手動／自動スイッチ６１がＭ側になるので、セレクタ６４はセレクト端子ＡがハイレベルのときＡ入力が選択されるので、このマニュアルモードではセレクタ６４はＢ入力を選択出力する。同様にセレクタ６５もＢ入力を選択出力する。一方、第１〜第３バルブ操作子１１〜１３の操作状態がスイッチ回路３２で検出され、このスイッチ回路３２からバルブ状態信号が出力される。なお、このバルブ状態信号は第１〜第３バルブ操作子１１〜１３にそれぞれ１ビットを対応させ、操作子状態を“１”、非操作状態を“０”として構成した３ビットの信号である。
【００２４】
したがって、このマニュアルモードでは、スイッチ回路３２からのバルブ状態信号が発光制御回路３７に入力され、発光制御回路３７はバルブ状態信号の各ビット状態に対応して各バルブ操作子１１〜１３に対応する発光素子２１〜２３をそれぞれ点灯制御する。また、スイッチ回路３２からのバルブ状態信号が音高候補抽出処理部５３に入力される。音高候補抽出処理部５３は、音高候補テーブル５３ａを備えている。この音高候補テーブル５３ａは、例えば図４の運指図をテーブル化したものであり、図４の左欄の「バルブ操作子」の組み合わせ（「−，２，３」等）をバルブ状態信号の３ビットに対応させ、指定された組み合わせに対して「○」印の位置に対応する下欄の「決定音高」の音高データを複数の音高候補データとして出力する。そして、この音高候補抽出処理部５３からの音高候補データは音高判定処理部５４に入力される。
【００２５】
一方、振動検出器２０ａから入力される音声信号の音声ピッチがピッチ検出回路３１ａで検出され、セレクタ６４を介して音高判定処理部５４に入力される。音高判定処理部５４は入力される音高候補データから、入力される音声ピッチに応じた音高データを抽出し、セレクタ６５を介して第１楽音信号発生回路３４ａに出力する。なお、この音高データの抽出の際に、入力音声ピッチに対する許容範囲を考慮してもよいし、考慮しなくてもよい。また、振動検出器２０ａから入力される音声信号の音量レベルがレベル検出回路３１ｂで検出されて発音制御データ生成処理部５５に入力される。なお、音高判定処理部５４からの音高データは後述の一致検出回路６６とゲート回路６７にも出力され、レベル検出回路３１ｂからの音量レベルはゲート回路６８とワンショット回路６９にも出力されるが、このマニュアルモードでは、これらの回路の動作は影響しない。発音制御データ生成処理部５５は、音量レベルのデータから、発生する楽音の音量パラメータ（ベロシティ）や音色パラメータ等の発音制御データを第１楽音信号発生回路３４ａに出力する。そして、第１楽音信号発生回路３４ａは、音高判定処理部５４で判定された音高データと楽音制御データに基づいて楽音信号を発生し、アンプ３８及びスピーカ３０ａで楽音が発生される。
【００２６】
このように、マニュアルモードでは、バルブ操作子１１〜１３の操作状態と振動検出器２０ａ（口入力部２０）からの音声ピッチに応じて発音する楽音の音高が決定され、また、振動検出器２０ａからの音量レベル（アンプッシュア）に応じた音量等が決定され、楽音が発生される。したがって、マニュアル演奏（通常のトランペットと同様な演奏）を行うことができる。また、発光素子２１〜２３により、バルブ操作子１１〜１３の操作状態に応じて、操作されているバルブ操作子に対応して操作確認用の発光表示が行われ、演奏操作を確認することができる。
【００２７】
（自動モード）
この自動モードが本発明の要部の好適な実施例となっている。手動／自動スイッチ６１がＡ側（オート側）になると、セレクタ６４とセレクタ６５はそれぞれＡ入力を選択出力する。また、手動／自動スイッチ６１がＡ側（オート側）になると自動演奏に関する動作を行う。演奏データ読出し処理部５１、運指変換処理部５２、メロディ音高マーク検出部５１ａは、メモリ装置３６から自動演奏データを読み出し、その自動演奏データからのメロディデータの読出し及び停止、伴奏データの１シーケンス読出し及び停止、及びバルブ状態信号の生成を制御する機能である。自動演奏データは、例えば図６に示したように、メロディ音の音高を示すメロディ音高データ、メロディ音の符長を示すメロディ符長データ、伴奏音の音高を示す伴奏音高データ、伴奏音の符長を示す伴奏符長データを含んでいる。また、各データにはメロディ音高マーク、メロディ符長マーク、伴奏音高マーク、伴奏符長マークがそれぞれ付けられている。演奏データ読出し処理部５１は、自動演奏メモリと読出し部とからなり、手動／自動スイッチ６１がＡ側になると、メモリ装置３６から演奏データを読出して自動演奏メモリに一旦格納するとともに、メロディ音高データを読み出す。
【００２８】
メロディ音高データは運指変換処理部５２と後述の一致検出回路６６及びオクターブシフト（ＯＣＴＳＦＴ）回路７１に出力される。運指変換処理部５２はメロディ音高データから運指テーブル５２ａによりバルブ状態信号を自動生成し、そのバルブ状態信号を発光制御回路３７に出力する。なお、運指テーブル５２ａは、音高候補テーブル５３ａの逆変換に相当するテーブルであり、図４の下欄の「決定音高」（この場合メロディ音高データに相当）に対して図４の「○」印の位置に対応する「バルブ操作子」の組み合わせ（「−，２，３」等）を３ビットで表現したデータに変換し、バルブ状態信号として出力するものである。すなわち、この運指変換処理部５２から出力されるバルブ状態信号は、自動演奏データ中のメロディ音高データによって自動生成されるものであり、発光制御回路３７は、バルブ状態信号により各バルブ操作子１１〜１３に対応する発光素子２１〜２３をそれぞれ点灯制御する。
【００２９】
メロディ音高マーク検出部５１ａは、次のメロディ音高データのメロディ音高マークを検出すると停止信号を演奏データ読出し処理部５１に出力し、これによって演奏データ読出し処理部５１はメロディ音高データの読出しを一時停止する。また、演奏データ読出し処理部５１は、後述の歩進信号が入力されると次のメロディ音高データの読出しを行う。すなわち、演奏データ読出し処理部５１とメロディ音高マーク検出部５１ａは、自動演奏メモリのメモリアドレスを１メロディ音高データに対応する伴奏を含む１セット分歩進しながら、メロディ音高データを１つずつ先読みするような動作をする。
【００３０】
なお、演奏データ読出し処理部５１はメロディ音高データの読出しを一時停止しても、内部の自動シーケンス処理により伴奏音高データ及び伴奏符長データについては次のメロディ音高データ直前までを読み出して第２楽音信号発生回路３４ｂに出力し、伴奏符長データに応じて所定の伴奏の楽音を発生する。
【００３１】
また、メロディ音高マーク検出部５１ａからの停止信号はゲート回路６８にも入力される。このゲート回路６８は、ハイレベルのゲート信号の幅を調性して、オクターブシフト回路７１の導通／非導通を制御する回路であり、このオクターブシフト回路７１をメロディ音高データが通過するタイミングを調性するものである。なお、このゲート回路６８のゲート信号のオープン幅は、レベル検出回路３１ｂからの音量レベルの幅と内蔵のワンショット回路の信号幅で決められる。例えば、再トリガが可能なワンショット回路のようなもので、マーク到来時にオクターブシフト回路７１を開くように出力し、この出力は音量レベルの幅信号Ｌの発生の間中、引き延ばすことができる。すなわちゲート回路６８とオクターブシフト回路７１とにより、ワンショットのような回路を構成し、なおかつ、その内容（入力）をオクターブシフトするものである。
【００３２】
オクターブシフト回路７１は、図に吹き出し線で示したように、加算回路７１ａで演奏データ読出し処理部５１からのメロディ音高データ（キーコード）に“−１２”を加算（１オクターブ低くシフト）し、ゲート信号が入力されるアンド回路７１ｂから、オクターブシフトした音高データを出力する。そして、この音高データはセレクタ６４を介して、ピッチデータとして音高判定処理部５４に入力される。このオクターブシフトの処理は、音高候補抽出処理部５３から出力される音高候補（人間の声の音域（男性）より１オクターブ高い「決定音高」）に対して、音高判定処理部５４が音声ピッチ（１オクターブ低い音高）に基づいて音高を決定するように構成されているので、メロディ音高データに対して同構成で処理するためである。
【００３３】
一方、マニュアルモードと同様に、第１〜第３バルブ操作子１１〜１３の操作状態がスイッチ回路３２で検出され、このスイッチ回路３２からバルブ状態信号が音高候補抽出処理部５３に入力される。音高候補抽出処理部５３は、音高候補テーブル５３ａによりバルブ状態信号に対応する複数の音高候補データを音高判定処理部５４に出力する。音高判定処理部５４は音高候補データから、入力されるピッチデータに応じた音高データを抽出し、この音高データを一致検出回路６６とゲート回路６７に出力する。一致検出回路６６は、演奏データ読出し処理部５１から出力されるメロディ音高データと音高判定処理部５４で決定された音高データとが一致すると一致信号を出力し、タイミング補正回路７２に出力する。
【００３４】
タイミング補正回路７２は一致信号の出力タイミングを補正し、その一致信号を演奏データ読出し処理部５１に対する歩進信号として出力する。また、その一致信号をゲート回路６７のゲート制御信号として出力する。すなわち、このタイミング補正回路７２で調性されたタイミングにより、演奏データ読出し処理部５１が歩進し、音高判定処理部５４からの音高データがセレクタ６５を介して第１楽音信号発生回路３４ａに出力される。これにより、第１〜第３バルブ操作子１１〜１３の操作によるバルブ状態信号に応じて抽出された音高候補データのうち、ピッチデータに応じて決定された音高と、メロディ音高データとが一致すると、演奏データ読出し処理部５１でメモリアドレスが歩進し、次のメロディ音高データを読み出すようになる。
【００３５】
上述したように、基本的に口入力がなくてもバルブ操作子１１〜１３による入力のみで歩進が可能であるところ、ゲート回路６８とオクターブシフト回路７１とによるワンショット分のラッチ手段は、振動検出器２０ａの入力ある限り、ワンショット幅が引き延ばされることで、振動検出器２０ａ等の口入力のレベル有りの持続によって、演奏者が規定する正確なリズムで演奏が可能となることを許容している。
【００３６】
なお、図に破線で示したように、レベル検出回路３１ｂからのレベル信号をワンショット回路６９に出力し、このワンショット回路６９の信号をタイミング補正回路７２に出力し、この信号を演奏の歩進の補助として使用するようにしてもよい。これによって、前述のゲート回路６８とオクターブシフト回路７１とのワンショットラッチ機能を付加するようにしてもよいし、ワンショット回路６９のオフで制御し、タイミング補正出力をこのオフ時に発生するようにすれば、演奏進行のリズムや進行速さにバリエーションを付加することもできる。
【００３７】
このように、自動モードでは、自動演奏データのメロディ音高データにより、音声ピッチに対応するピッチデータが自動生成され、また、バルブ操作子１１〜１３の操作入力によりバルブ状態信号が得られる。そして、この操作入力によるバルブ状態信号と自動生成したピッチデータとにより、自動演奏データのメロディ音高と一致する音高が決定されるとメロディが進行する。また、メロディ音高データに対応して操作すべきバルブ操作子１１〜１３の組み合わせが、発光素子２１〜２３により、バルブ操作子１１ａ〜１３ａに対応して発光表示される。なお、振動検出器２０ａで音声あるいはブレスを入力すると、レベル検出回路３１ｂ及び発音制御データ生成処理部５５により、発生する楽音の音量パラメータや音色パラメータ等の発音制御データが第１楽音信号発生回路３４ａに出力されるので、これにより、楽音制御をすることもできる。
【００３８】
以上の実施形態では、演奏を歩進して停止するときの停止指示を、次のメロディ音高データ（あるいはメロディ音高マーク）の検出により得るようにしているが、次のタイミングデータ（時刻）や符長（時間）あるいはそれらのマークを検出したら停止指示を出すようにしてもよい。また、次のメロディ音高データなどの音符データが停止指示とならなくても、次の休符までの演奏、フレーズ単位あるいは小節単位など所定の（あるいは何らかのルールで決まる）演奏長さの単位で停止指示を出すようにしてもよい。すなわち、本発明における演奏の歩進、停止のインターバルは、前記実施形態の様な１つの音符単位とは限らず、上記のような単位、あるいはその他の単位でもよい。また、演奏データは実施形態（図６）のものに限らずその他各種のフォーマットでもよいことはいうまでもない。
【００３９】
なお、実施形態のように、請求項１または請求項２の構成に加えて、演奏指示部をさらに設け、前記補助演奏部からの演奏データのうち、前記操作子操作状態情報を用いて、演奏進行の指示として、前記演奏指示部で発光指示（振動指示でも可）させるようにしてもよい。これにより、演奏進行の各段階（各音符毎）で押さえるべき運指を学習することができる。
【００４０】
また、実施形態のように、請求項１または請求項２の構成に加えて、前記補助演奏部のソースとして、演奏曲のデータを記憶する演奏曲データ記憶手段と、該演奏曲データ記憶手段に記憶された演奏曲データを順次読み出す読出し手段と、によって、演奏補助を行うようにしてもよい。
【００４１】
実施形態では、「補助演奏部」あるいは「自動演奏部」として自動演奏データをメモリ装置３６から入力するような構成とした例について説明したが、「補助演奏部」はこの例に限らず、例えばプロや熟練者の演奏による演奏データを入力するようにしてもよい。また、インターネットのサーバなどから演奏データの信を受けるようにしてもよい。
【００４２】
また、実施形態では第１〜第３バルブ操作子１１〜１３のうちで操作すべき操作子を発光素子２１〜２３の点灯によって視覚的に表示するようにした。しかし、これに代えてまたは加えて、操作すべきバルブ操作子を上方または下方に若干変位させ、または同操作子を振動させて、操作すべきバルブ操作子を演奏者に対して触覚的に認識させるような運指ガイド指示を行うようにしてもよい。この場合、図２に破線で示したように、把持部５０内に、第１〜第３バルブ操作子１１〜１３を駆動する小型電磁アクチュエータ、小型電圧アクチュエータなどの駆動装置８１〜８３を内蔵させるとともに、発光制御回路３７に代えてまたは加えて、操作すべきバルブ操作子を表すバルブ状態信号に基づいて前記駆動装置８１〜８３を駆動制御する駆動制御回路を設ければよい。
【００４３】
また、前記図５に破線で示した実施形態のように、口入力部のレベルデータを歩進の補助に使用することにより、演奏の進行が頻繁に停止するようなことを防止することもできる。
【００４４】
また、実施形態ではトランペット型の楽器の場合について説明したが、ホルン、ユーホニウム、チューバなどの管楽器のように、複数の演奏操作子を備え、この複数の演奏操作子の操作の組み合わせに応じて発生楽音の音高を決定するような電子楽器に適用することもできる。
【００４５】
また、音声ピッチを入力する手段としてマイク等の振動検出器を用いた場合について説明したが、人体の「のど」に接触させて振動を検出する骨伝導ピックアップを用いてもよい。このような検出器を用いると声帯を悪くしたひとでも口空気流型楽器の演奏が可能となる道がこの発明によって開かれることにもなる。
【００４６】
【発明の効果】
請求項１の電子楽器によれば、複数演奏操作子操作のみで演奏進行が可能なので、演奏者は演奏操作子の操作に専念でき、トランペット、ホルン、ユーホニウム、チューバ等の運指組み合わせ入力楽器の、簡易演奏、並びに正統演奏への練習のステップとすることができる。さらに、複数の演奏操作子の操作の組み合わせに対応する操作子操作状態情報により演奏を進行するので、鍵盤楽器等の１キーで音高決定するような場合と違って、上記運指組み合わせ入力楽器に特有な演奏操作の運指ガイド指示をすることも容易になる。
【００４７】
請求項２の電子楽器によれば、請求項１と同様に、演奏操作子の操作に専念でき、トランペット、ホルン、ユーホニウム、チューバ等の運指組み合わせ入力楽器の、簡易演奏、並びに正統演奏への練習のステップとすることができる。また、演奏操作子の組み合わせに応じた音高データと自動演奏部からの演奏データの音高データとの一致を検出し、この一致検出による歩進指示と停止指示とにて演奏の進行をさせるので、間違った演奏操作をしても演奏は進行しない。したがって、さらに上達の意思がある者のみに対して、演奏補助をすることができる。
【図面の簡単な説明】
【図１】本発明の実施形態の電子楽器の外観図である。
【図２】本発明の実施形態の電子楽器におけるバルブ操作子の詳細を示す図である。
【図３】本発明の実施形態における前記電子回路装置のブロック図である。
【図４】本発明の実施形態における音高と運指との関係を示す運指図である。
【図５】本発明の実施形態における機能ブロック図である。
【図６】本発明の実施形態における自動演奏データのフォーマットを示す図である。
【符号の説明】
１１，１２，１３…バルブ操作子（演奏操作子）、２０…口入力部、５１…演奏データ読出し処理部（補助演奏部、自動演奏部）、５１ａ…メロディ音高マーク検出部（補助演奏部、自動演奏部）
【図１】
2005049439.tif 000003
【図２】
2005049439.tif 000004
【図３】
2005049439.tif 000005
【図４】
2005049439.tif 000006
【図５】
2005049439.tif 000007
【図６】
2005049439.tif 000008